(57)【要約】      （修正有）【課題】ブックカバー自体を自立させることができ、書籍の保護と書籍を自立させる機能の一体化を実現する機能一体型ブックカバースタンドを提供する。【解決手段】機能一体型ブックカバースタンドは、ブックカバー本体の背面にポータブルスタンド部９を備えることで、ブックカバー自体が自立可能となり、また、ポータブルスタンド部９に面ファスナー、マグネット、磁石、ボタンなどの留め具である第１留め具部１０、第２留め具部１１、第３留め具部１２、第４留め具部１３を備えることで、スタンド機能が不要の際にはコンパクトに折り畳んで固定することができ、ストレスなく携帯することが可能になる。なお、第１ページ固定バンド、第２ページ固定バンド、第３ページ固定バンド、第４ページ固定バンドをブックカバー本体に備えることで、読書中のページを固定でき、ポータブルスタンド部９のスタンド機能を使用した状態での読書時に、両手が自由になり、書籍を開いたままの状態で置いておくこともできる。【選択図】図３
0003231948.tif 000002
【実用新案登録請求の範囲】
【請求項１】
書籍の保護を目的としたブックカバー本体に、ポータブルスタンド部（９）を備えることで、ブックカバー自体を自立させることができ、書籍の保護と書籍を自立させる機能が一体化していることが特徴の機能一体型ブックカバースタンド。
【請求項２】
ポータブルスタンド部（９）にマジックテープ、マグネット、磁石、ボタンなどの留め具である第１留め具部（１０）、第２留め具部（１１）、第３留め具部（１２）、第４留め具部（１３）を備えることで、ポータブルスタンド機能が不要の際には即座にポータブルスタンド部（９）をコンパクトに折り畳んで固定することが可能な、ポータブル仕様となっていることが特徴の訴求項１に記載の機能一体型ブックカバースタンド。
【請求項３】
本体に第１ページ固定バンド（５）、第２ページ固定バンド（６）、第３ページ固定バンド（７）、第４ページ固定バンド（８）を備えることで、読書中のページを固定でき、ポータブルスタンド部（９）のスタンド機能を使用した状態での読書時に、両手が自由になり、また、書籍を開いたままの状態で置いておくことが可能であることが特徴の訴求項１または２に記載の機能一体型ブックカバースタンド。
【考案の詳細な説明】
【技術分野】
【０００１】本考案は、ブックカバー本体にブックスタンド機能をかけ合わせた、複数機能の一体化を図ったブックカバーに関するものである。
【背景技術】
【０００２】読書中は書籍によって両手が塞がれており、読書をしながらのスマホ操作や食事などが難しい状況であった。また、両手で書籍を持って読むことによる身体的負荷、長時間の読書における姿勢悪化や疲労が懸念された。これらは従来のブックスタンドを使用すればある程度の改善は見込めるが、同時に書籍の保護をすることが不可能であり、また、室内向けの大きく嵩張るものであるため、外出時の携帯には不向きであった。今回発案した「機能一体型ブックカバースタンド」は従来のブックカバーのコンパクトさを保った上で、書籍を保護しつつ簡単に自立させることが可能となり、外出時の携帯にも便利で場所を問わず快適な読書環境を作ることができる。
【考案の概要】
【考案が解決しようとする課題】
【０００３】  既存のブックカバーは単体で書籍を自立させることができず、別途ブックスタンドを併用しなければ、両手が自由な状態での読書が不可能であり、外出時の携帯にも不便であった点を改善する。
【課題を解決するための手段】
【０００４】本考案は、ブックカバーにポータブルスタンド部（９）を備えることで、ブックカバー自体が自立可能となり、また、マジックテープ、マグネット、磁石、ボタンなどの留め具である第１留め具部（１０）、第２留め具（１１）、第３留め具部（１２）、第４留め具部（１３）を備えることで、スタンド機能が不要の際には即座にポータブルスタンド部（９）をコンパクトに折り畳んで固定することができ、ストレスなく携帯することが可能になる。なお、第１ページ固定バンド（５）、第２ページ固定バンド（６）、第３ページ固定バンド（７）、第４ページ固定バンド（８）をブックカバー本体に備えることで、読書中のページを固定でき、ポータブルスタンド部（９）のスタンド機能を使用した状態での読書時に、両手が自由になり、書籍を開いたままの状態で置いておくことも可能になる。
【考案の効果】
【０００５】本考案は、書籍の保護を目的としたブックカバーにポータブルスタンド部（９）を備えることで、ブックカバー自体を自立させることができ、書籍の保護と書籍を自立させる機能の一体化を実現した。また、ポータブルスタンド部（９）にマジックテープ、マグネット、磁石、ボタンなどの留め具である第１留め具部（１０）、第２留め具部（１１）、第３留め具部（１２）、第４留め具部（１３）を備えることで、スタンド機能が不要の際にはポータブルスタンド部（９）をコンパクトに折り畳んで固定することが可能なポータブル仕様となるため、どこへでも携帯でき、場所を問わず使用することが可能である。なお、第１ページ固定バンド（５）、第２ページ固定バンド（６）、第３ページ固定バンド（７）、第４ページ固定バンド（８）をブックカバー本体に備えることで、読書中のページを固定でき、栞の役割も果たされる。加えて、ポータブルスタンド部（９）のスタンド機能を使用した状態での読書時に、両手が自由になり、書籍のページを開いたままの状態で置いておくことができるため、読書を中断して一時的に別の作業をする際にもスムーズな作業の移行が可能である。
【図面の簡単な説明】
【０００６】
【図１】本考案に関わる機能一体型ブックカバースタンドの第一実施形態を示す図である。
【図２】本考案に関わる機能一体型ブックカバースタンドの第二実施形態を示す図である。
【図３】本考案に関わる機能一体型ブックカバースタンドの第三実施形態を示す図である。
【図４】本考案に関わる機能一体型ブックカバースタンドの使用状態１を示す図である。
【図５】本考案に関わる機能一体型ブックカバースタンドの使用状態２を示す図である。
【考案を実施するための形態】
【０００７】以下、添付した図面を参照して、本考案の実施形態を説明する。なお、図面の説明において同一の要素には同一の符号を付し、重複する説明を省略する。また、図面の寸法比率は、説明の都合上誇張されており、実際の比率とは異なる場合がある。
【実施例】
【０００８】図１の１、２は書籍装着バンドである。図１の３、４は機能一体型ブックカバースタンドのそで部である。図１に示す通り、３、４を開いた状態にし、１、２にそれぞれ書籍の表紙と裏表紙を差し込むことで書籍を機能一体型ブックカバースタンドに装着させ、書籍の表紙と裏表紙の上に機能一体型ブックカバースタンドの３、４を被せて挟んだ状態にすることで、ブックカバーの機能を果たす。【０００９】図２の５、６、７、８は機能一体型ブックカバースタンドのページ固定バンド部である。機能一体型ブックカバースタンドに装着した書籍の読書中のページ四隅を図２の５、６、７、８で固定することで、両手を使うことなく書籍のページを開いたままの状態で維持することが可能となり、また書籍を閉じた際には、栞としての機能を果たすことが可能となる。【００１０】図３の９は一体型ブックカバースタンドのポータブルスタンド部である。図３に示す通り、一体型ブックカバースタンド背面にある折りたたみ式の９を開いた状態にすることで、一体型ブックカバースタンドを自立させることができ、図５に示す形態で、両手で書籍を持たずに読書することが可能となる。【００１１】図３の１０、１１、１２、１３は、９に付帯する留め具部である。図４に示す通り９のボータブルスタンド部を閉じた際には、１０、１１、１２、１３の機能によって図４に示す通り９の部位を折り畳んだ状態で固定することが可能とる。
【符号の説明】
【００１２】１    書籍装着バンド
２    書籍装着バンド
３    そで
４    そで
５    ページ固定バンド
６    ページ固定バンド
７    ページ固定バンド
８    ページ固定バンド
９    ポータブルスタンド部
１０  留め具部
１１  留め具部
１２  留め具部
１３  留め具部
【図１】
0003231948.tif 000003
【図２】
0003231948.tif 000004
【図３】
0003231948.tif 000005
【図４】
0003231948.tif 000006
【図５】
0003231948.tif 000007
【手続補正書】
【提出日】令和2年12月15日(2020.12.15)
【手続補正１】
【補正対象書類名】実用新案登録請求の範囲
【補正対象項目名】請求項１
【補正方法】変更
【補正の内容】
【請求項１】
書籍の保護を目的としたブックカバー本体の背面に、ポータブルスタンド部（９）を備えることで、ブックカバー自体を自立させることができ、書籍の保護と書籍を自立させる機能が一体化していることが特徴の機能一体型ブックカバースタンド。
【手続補正２】
【補正対象書類名】実用新案登録請求の範囲
【補正対象項目名】請求項２
【補正方法】変更
【補正の内容】
【請求項２】
ポータブルスタンド部（９）に面ファスナー、マグネット、磁石、ボタンなどの留め具である第１留め具部（１０）、第２留め具部（１１）、第３留め具部（１２）、第４留め具部（１３）を備えることで、ポータブルスタンド機能が不要の際には即座にポータブルスタンド部（９）をコンパクトに折り畳んで固定することが可能な、ポータブル仕様となっていることが特徴の請求項１に記載の機能一体型ブックカバースタンド。
【手続補正３】
【補正対象書類名】実用新案登録請求の範囲
【補正対象項目名】請求項３
【補正方法】変更
【補正の内容】
【請求項３】
ブックカバー本体は書籍の表表紙と裏表紙を差し込む２つのそで部とを備え、一方のそで部に、第１ページ固定バンド（５）、第２ページ固定バンド（６）を、他方のそで部に第３ページ固定バンド（７）、第４ページ固定バンド（８）を備えることで、読書中のページを固定でき、ポータブルスタンド部（９）のスタンド機能を使用した状態での読書時に、両手が自由になり、また、書籍を開いたままの状態で置いておくことが可能であることが特徴の請求項１または２に記載の機能一体型ブックカバースタンド。
【手続補正４】
【補正対象書類名】明細書
【補正対象項目名】０００４
【補正方法】変更
【補正の内容】
【０００４】  本考案は、ブックカバー本体の背面にポータブルスタンド部（９）を備えることで、ブックカバー自体が自立可能となり、また、ポータブルスタンド部（９）にマジックテープ（登録商標）などの面ファスナー、マグネット、磁石、ボタンなどの留め具である第１留め具部（１０）、第２留め具部（１１）、第３留め具部（１２）、第４留め具部（１３）を備えることで、スタンド機能が不要の際には即座にポータブルスタンド部（９）をコンパクトに折り畳んで固定することができ、ストレスなく携帯することが可能になる。なお、ブックカバー本体は書籍の表表紙と裏表紙を差し込む２つのそで部とを備え、一方のそで部に、第１ページ固定バンド（５）、第２ページ固定バンド（６）を、他方のそで部に、第３ページ固定バンド（７）、第４ページ固定バンド（８）を備えることで、読書中のページを固定でき、ポータブルスタンド部（９）のスタンド機能を使用した状態での読書時に、両手が自由になり、書籍を開いたままの状態で置いておくことも可能になる。
【手続補正５】
【補正対象書類名】明細書
【補正対象項目名】０００５
【補正方法】変更
【補正の内容】
【０００５】本考案は、書籍の保護を目的としたブックカバー本体の背面にポータブルスタンド部（９）を備えることで、ブックカバー自体を自立させることができ、書籍の保護と書籍を自立させる機能の一体化を実現した。また、ポータブルスタンド部（９）にマジックテープ（登録商標）などの面ファスナー、マグネット、磁石、ボタンなどの留め具である第１留め具部（１０）、第２留め具部（１１）、第３留め具部（１２）、第４留め具部（１３）を備えることで、スタンド機能が不要の際にはポータブルスタンド部（９）をコンパクトに折り畳んで固定することが可能なポータブル仕様となるため、どこへでも携帯でき、場所を問わず使用することが可能である。なお、ブックカバー本体は書籍の表表紙と裏表紙を差し込む２つのそで部とを備え、一方のそで部に、第１ページ固定バンド（５）、第２ページ固定バンド（６）を、他方のそで部に、第３ページ固定バンド（７）、第４ページ固定バンド（８）を備えることで、読書中のページを固定でき、栞の役割も果たされる。加えて、ポータブルスタンド部（９）のスタンド機能を使用した状態での読書時に、両手が自由になり、書籍のページを開いたままの状態で置いておくことができるため、読書を中断して一時的に別の作業をする際にもスムーズな作業の移行が可能である。
【手続補正６】
【補正対象書類名】明細書
【補正対象項目名】００１０
【補正方法】変更
【補正の内容】
【００１０】  図３の９は機能一体型ブックカバースタンドのポータブルスタンド部である。図３に示す通り、機能一体型ブックカバースタンド背面にある折りたたみ式の９を開いた状態にすることで、機能一体型ブックカバースタンドを自立させることができ、図５に示す形態で、両手で書籍を持たずに読書することが可能となる。